【手続補正書】
【提出日】平成29年9月29日(2017.9.29)
【手続補正１】
【補正対象書類名】特許請求の範囲
【補正対象項目名】全文
【補正方法】変更
【補正の内容】
【特許請求の範囲】
【請求項１】
複数の端末装置とネットワークを介して接続される会議装置と、文書管理装置とを備える情報処理システムであって、
前記会議装置を介して電子会議に参加している複数の端末装置間で共有されるコンテンツと、前記電子会議に参加している複数の端末装置のいずれかにおいて前記コンテンツに追加された追加情報とを関連付けて管理する会議情報管理手段と、
前記電子会議が開催された後に、前記会議情報管理手段によって管理されている前記コンテンツ及び前記追加情報を前記文書管理装置で管理できる形態の情報で前記文書管理装置に登録する文書登録手段と、
前記文書登録手段によって登録された情報に含まれる前記追加情報に基づいた検索によって、前記コンテンツに追加された追加情報を前記端末装置に表示させる表示制御手段と
を有することを特徴とする情報処理システム。
【請求項２】
前記文書登録手段は、前記追加情報の少なくとも一部を前記文書管理装置で管理できる形態の情報に含まれる特性情報として設定すること
を特徴とする請求項１記載の情報処理システム。
【請求項３】
前記文書登録手段は、前記追加情報の一部と前記コンテンツとを一つに統合して前記文書管理装置で管理できる形態の情報により表される文書として設定すること
を特徴とする請求項２記載の情報処理システム。
【請求項４】
前記文書登録手段は、前記会議装置が管理している前記電子会議の情報に基づき、前記電子会議の参加者が前記端末装置から前記文書管理装置で管理できる形態の情報にアクセスできるようにアクセス権を設定すること
を特徴とする請求項１乃至３何れか一項記載の情報処理システム。
【請求項５】
前記文書登録手段は、前記複数の端末装置のいずれかにおいて前記コンテンツに前記追加情報を追加した会議の参加者が前記端末装置から前記文書管理装置で管理できる形態の情報にアクセスできるようにアクセス権を設定すること
を特徴とする請求項１乃至３何れか一項記載の情報処理システム。
【請求項６】
前記文書管理装置で管理できる形態の情報に含まれる前記追加情報を使用し、前記追加情報が追加された前記コンテンツを検索する検索手段
を更に有することを特徴とする請求項１乃至５何れか一項記載の情報処理システム。
【請求項７】
前記文書登録手段は、前記追加情報のうち手書き情報を前記コンテンツに統合して前記文書管理装置で管理できる形態の情報により表される文書データとして設定し、前記追加情報のうち付箋情報を前記文書管理装置で管理できる形態の情報に含まれるプロパティ情報として設定すること
を特徴とする請求項３記載の情報処理システム。
【請求項８】
前記表示制御手段は、前記コンテンツに追加された手書き情報を、前記文書管理装置で管理できる形態の情報により表される文書データにより表示し、前記コンテンツに追加された付箋情報を、前記プロパティ情報により表示すること
を特徴とする請求項７記載の情報処理システム。
【請求項９】
前記手書き情報はストローク情報であって、前記文書登録手段によって前記コンテンツとマージされること
を特徴とする請求項７記載の情報処理システム。
【請求項１０】
前記コンテンツにマージされた前記ストローク情報はＯＣＲ（Optical Character Reader）によって検索対象とされること
を特徴とする請求項９記載の情報処理システム。
【請求項１１】
複数の端末装置とネットワークを介して接続される会議装置に搭載されるプログラムと、文書管理装置に搭載されるプログラムとを備える情報処理システムであって、
前記会議装置を介して電子会議に参加している複数の端末装置間で共有されるコンテンツと、前記電子会議に参加している複数の端末装置の何れかにおいて前記コンテンツに追加された追加情報とを関連付けて管理する会議情報管理手段と、
前記電子会議が開催された後に、前記会議情報管理手段によって管理されている前記コンテンツ及び前記追加情報を前記文書管理装置で管理できる形態の情報で前記文書管理装置に登録する文書登録手段と、
前記文書登録手段によって登録された情報に含まれる前記追加情報に基づいた検索によって、前記コンテンツに追加された追加情報を前記端末装置に表示させる表示制御手段と
を有することを特徴とする情報処理システム。
【請求項１２】
複数の端末装置とネットワークを介して接続される会議装置と、文書管理装置とを備える情報処理システムにおける情報登録方法であって、
前記会議装置を介して電子会議に参加している複数の端末装置間で共有されるコンテンツと、前記電子会議に参加している複数の端末装置のいずれかにおいて前記コンテンツに追加された追加情報とを関連付けて管理するステップと、
前記電子会議が開催された後に、前記管理するステップによって管理されている前記コンテンツ及び前記追加情報を前記文書管理装置で管理できる形態の情報で前記文書管理装置に登録するステップと、
前記登録するステップによって登録された情報に含まれる前記追加情報に基づいた検索によって、前記コンテンツに追加された追加情報を前記端末装置に表示させるステップと
を有することを特徴とする情報登録方法。
【請求項１３】
複数の端末装置とネットワークを介して接続される会議装置と、文書管理装置とを備える情報処理システムに含まれる会議装置であって、
前記会議装置を介して電子会議に参加している複数の端末装置間で共有されるコンテンツと、前記電子会議に参加している複数の端末装置のいずれかにおいて前記コンテンツに追加された追加情報とを関連付けて管理する会議情報管理手段と、
前記電子会議が開催された後に、前記会議情報管理手段によって管理されている前記コンテンツ及び前記追加情報を前記文書管理装置で管理できる形態の情報で前記文書管理装置に登録する文書登録手段と、を有し、
前記文書管理装置に、前記文書登録手段によって登録された情報に含まれる前記追加情報に基づいた検索によって、前記コンテンツに追加された追加情報を前記端末装置に表示させること
を特徴とする会議装置。
【請求項１４】
複数の端末装置とネットワークを介して接続される会議装置と、文書管理装置とを備える情報処理システムに含まれる会議装置を、
前記会議装置を介して電子会議に参加している複数の端末装置間で共有されるコンテンツと、前記電子会議に参加している複数の端末装置のいずれかにおいて前記コンテンツに追加された追加情報とを関連付けて管理する会議情報管理手段、
前記電子会議が開催された後に、前記会議情報管理手段によって管理されている前記コンテンツ及び前記追加情報を前記文書管理装置で管理できる形態の情報で前記文書管理装置に登録する文書登録手段、として機能させ、
前記文書管理装置に、前記文書登録手段によって登録された情報に含まれる前記追加情報に基づいた検索によって、前記コンテンツに追加された追加情報を前記端末装置に表示させること
を特徴とするプログラム。
【手続補正２】
【補正対象書類名】明細書
【補正対象項目名】０００５
【補正方法】変更
【補正の内容】
【０００５】
上記目的を達成するため、本願請求項１は、複数の端末装置とネットワークを介して接続される会議装置と、文書管理装置とを備える情報処理システムであって、前記会議装置を介して電子会議に参加している複数の端末装置間で共有されるコンテンツと、前記電子会議に参加している複数の端末装置のいずれかにおいて前記コンテンツに追加された追加情報とを関連付けて管理する会議情報管理手段と、前記電子会議が開催された後に、前記会議情報管理手段によって管理されている前記コンテンツ及び前記追加情報を前記文書管理装置で管理できる形態の情報で前記文書管理装置に登録する文書登録手段と、前記文書登録手段によって登録された情報に含まれる前記追加情報に基づいた検索によって、前記コンテンツに追加された追加情報を前記端末装置に表示させる表示制御手段とを有することを特徴とする。